(57)【要約】【課題】隙間に起因する振動や共振の発生を防止し、組立て作業を容易化する。【解決手段】回転機構を持つデバイスユニットを備える電子装置およびその製造方法である。シャーシ（１６）にはデバイスユニット（ＨＤＤユニット４）の配置エリア（１４）が備えられ、該配置エリア（１４）に複数の振動吸収体（ガスケット１８）が設置され、前記配置エリアを挟んで支持パネル（２０Ａ、２０Ｂ）が立設される。前記デバイスユニットが取り付けられるブラケット（６）が備えられ、該ブラケット（６）とシャーシ（１６）との間には係合機構（２２）が備えられている。【選択図】図１
2012230728.tif 000002
【特許請求の範囲】
【請求項１】
回転機構を持つデバイスユニットを備える電子装置であって、
前記デバイスユニットが取り付けられるブラケットを配置する配置エリアを備え、該配置エリアに複数の振動吸収体が設置され、前記配置エリアを挟んで立設された支持パネルを備えたシャーシと、
前記支持パネルと前記ブラケットとの間に設けられ、前記ブラケットと前記シャーシとの間で前記振動吸収体を圧縮させて、前記ブラケットと前記シャーシとを係合させる係合機構と、
を備えることを特徴とする電子装置。
【請求項２】
さらに、前記係合機構の係合位置で、前記ブラケットを前記シャーシに係止させる係止機構を備えることを特徴とする請求項１に記載の電子装置。
【請求項３】
前記係合機構は、
前記ブラケットまたは前記支持パネルのいずれか一方に形成された突部と、
前記突部に対して前記ブラケットまたは前記支持パネルのいずれかに形成され、前記突部と係合する係合部と、
を備えることを特徴とする請求項１に記載の電子装置。
【請求項４】
前記係止機構は、
前記ブラケットまたは前記シャーシのいずれか一方に形成された突部と、
前記突部に対して前記ブラケットまたは前記シャーシのいずれかに形成され、前記突部を挿入する凹部と、
を備えることを特徴とする請求項２に記載の電子装置。
【請求項５】
回転機構を持つデバイスユニットを備える電子装置の製造方法であって、
前記デバイスユニットが取り付けられたブラケットを配置する配置エリアを備え、該配置エリアに複数の振動吸収体が設置され、前記配置エリアを挟んで支持パネルが立設されたシャーシを形成し、
前記ブラケットと前記シャーシとの間で前記振動吸収体を圧縮させ、
前記ブラケットと前記シャーシとの間に形成されている係合機構により前記ブラケットと前記シャーシとを係合させる、
ことを特徴とする電子装置の製造方法。
【発明の詳細な説明】
【技術分野】
【０００１】
本発明は、ハードディスクドライブ（Hard Disk Drive ：ＨＤＤ）ユニットなど、回転機構を持つデバイスユニットを備える電子装置およびその製造方法に関する。
【背景技術】
【０００２】
ＨＤＤユニットなどのデバイスユニットを備えるパーソナルコンピュータでは、ＨＤＤの駆動時、回転振動が騒音や筐体共振などの原因になることが知られている。
【０００３】
このようなＨＤＤユニットの振動対策に関し、特許文献１には、メカシャーシとＨＤＤ又はドライブ用ブラケットとの間にシート状の振動減衰用クッションを設けることが記載されている。
【先行技術文献】
【特許文献】
【０００４】
【特許文献１】特開２００６−１６４３３０公報
【発明の概要】
【発明が解決しようとする課題】
【０００５】
ところで、回転機構を備えるデバイスとしてたとえば、ＨＤＤユニットを備える電子装置では、ＨＤＤユニットの接地の必要性や、機械的な強度を維持するため、板金加工された金属シャーシが用いられている。
【０００６】
このような金属シャーシに配置されるＨＤＤユニットの下側に固定部が備えられ、該固定部がＨＤＤユニットのディスク回転部の近傍に配置されている構成では、固定部の若干のずれによりＨＤＤユニットと金属シャーシとの間に微小な隙間が生じる。このような隙間があると、ＨＤＤユニットの駆動時、その隙間で共振（ビビリ振動）を生じ、耳障りな騒音が発生する。このような共振振動は、経年変化によって生じた隙間でも生じるおそれがある。
【０００７】
また、ＨＤＤユニットの下側に固定部がある場合には、固定部がＨＤＤユニットに隠れるため、固定作業がしにくい、そのため固定状態が不完全になるなどの不都合がある。
【０００８】
そこで、本開示の電子装置およびその製造方法の目的は、隙間に起因する振動や共振の発生を防止することにある。
【０００９】
また、本開示の電子装置およびその製造方法の他の目的は、組立て作業を容易化することにある。
【課題を解決するための手段】
【００１０】
上記目的を達成するため、本開示の電子装置およびその製造方法は、回転機構を持つデバイスユニットを備える電子装置およびその製造方法である。シャーシにはデバイスユニットの配置エリアが備えられ、該配置エリアに複数の振動吸収体が設置され、前記配置エリアを挟んで支持パネルが立設される。前記デバイスユニットが取り付けられるブラケットが備えられ、該ブラケットとシャーシとの間には係合機構が備えられている。係合機構は、前記ブラケットと前記シャーシとの間で圧縮させた前記振動吸収体を挟んで、前記ブラケットと前記シャーシとを係合させている。
【発明の効果】
【００１１】
本開示の電子装置およびその製造方法によれば、次のいずれかの効果が得られる。
【００１２】
(1) 圧縮状態に維持された振動吸収体の復元力を係合機構の係合強度に利用しているので、ブラケットとシャーシとを隙間を生じさせることなく強固に固定でき、騒音発生を防止できる。
【００１３】
(2) デバイスユニットの配置エリアを挟んで立設された支持パネルとブラケットとを係合させる係合機構がデバイスユニットの側面側にあるため、係合操作が容易になり、作業性がよい。
【００１４】
(3) デバイスユニットを固定したブラケットとシャーシとの間に配置された振動吸収体を圧縮状態に維持し、圧縮状態にある振動吸収体の復元力を係合機構の係合力に利用しているので、ブラケットとシャーシとの係合強度を高めることができる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る電子装置を示す断面図である。
【図２】組立て手順を示すフローチャートである。
【図３】シャーシに対するブラケットの固定手順を示す断面図である。
【図４】ブラケット、シャーシおよび圧縮前のガスケットのサンドイッチ構造を示す図である。
【図５】第２の実施の形態に係るパーソナルコンピュータの前面側から見て示す図である。
【図６】パーソナルコンピュータを背面側から見て示す図である。
【図７】パーソナルコンピュータから外された背面カバーを示す斜視図である。
【図８】シャーシから外されたスタンド支持部を示す斜視図である。
【図９】背面カバーおよびスタンド支持部が外されたパーソナルコンピュータを背面側から示す斜視図である。
【図１０】背面カバーおよびスタンド支持部が外されたパーソナルコンピュータを示す背面図である。
【図１１】ＨＤＤユニットの構成例を示す図である。
【図１２】ＨＤＤユニットおよびブラケットを示す斜視図である。
【図１３】背面カバー、スタンド支持部、ＨＤＤユニットおよびブラケットが外されたパーソナルコンピュータを背面側から示す斜視図である。
【図１４】支持パネルを配置エリア側から見て示す斜視図である。
【図１５】支持パネルを配置エリア外から見て示す斜視図である。
【図１６】支持パネルが設置されたシャーシを備えるパーソナルコンピュータを背面側から示す斜視図である。
【図１７】支持パネルが設置されたシャーシを備えるパーソナルコンピュータを示す背面図である。
【図１８】係合機構の一例を示す図である。
【図１９】係合機構の係合前後を示す図である。
【図２０】係止機構およびガスケットの一例を示す図である。
【図２１】係止機構の係止前後を示す図である。
【図２２】支持パネルとブラケットの係合前の状態を示す図である。
【図２３】支持パネルとブラケットの係合状態を示す図である。
【図２４】図２３のXXIV−XXIV線で切断した断面を示す図である。
【図２５】ＨＤＤユニットの回転機構と係合機構および係止機構との関係を示す図である。
【図２６】支持パネルにスタンド支持部が取り付けられた筐体構造を示す断面図である。
【図２７】パーソナルコンピュータの組立て手順を示すフローチャートである。
【図２８】係合機構の変形例を示す断面図である。
【図２９】係合機構の変形例を示す斜視図である。
【図３０】係止機構の変形例を示す斜視図である。
【図３１】ガスケットをブラケット側に設置した変形例を示す図である。
【発明を実施するための形態】
【００１７】
〔第１の実施の形態〕
【００１８】
第１の実施の形態に係る電子装置について、図１を参照する。図１は電子装置の一部を示している。図１に示す構成は一例であり、斯かる構成に本発明が限定されるものではない。
【００１９】
図１に示す電子装置２は、本開示の電子装置の一例である。この電子装置２はＨＤＤユニット４を備えている。ＨＤＤユニット４は回転機構を持つデバイスユニットの一例であり、回転機構の駆動によって振動を生じるものであればよく、ＨＤＤユニットに限定されない。
【００２０】
このＨＤＤユニット４を固定する固定枠部材としてユニット用ブラケット（以下単に「ブラケット」と称する）６が備えられ、このブラケット６はＨＤＤユニット４が固定される枠体である。ＨＤＤユニット４は、偏平な直方体であることから、ブラケット６は、矩形の底板８と、この底板８の長辺から直交方向に立ち上がる一対の側板１０とを備えている。側板１０の対向面部には側板１０間に突出させた複数の棚部１２が備えられ、各棚部１２にはＨＤＤユニット４が載置されている。各側板１０はＨＤＤユニット４の側壁高さより高く設定され、ＨＤＤユニット４の防護部材でもある。
【００２１】
このブラケット６を配置する配置エリア１４がシャーシ１６に設定されている。配置エリア１４は、ブラケット６の底面を包摂する形状および面積を備えている。シャーシ１６はたとえば、剛性が高く、導電性のよい金属板を板金加工したものである。そして、配置エリア１４には複数のガスケット１８が配置されている。各ガスケット１８は、振動吸収材料で形成された緩衝パッドの一例である。各ガスケット１８はブラケット６の幅方向および長手方向の数カ所に配置され、ブラケット６とシャーシ１６との間に挟み込まれている。すなわち、ブラケット６とガスケット１８とシャーシ１６とでサンドイッチ構造からなる制振構造が構成される。
【００２２】
シャーシ１６には、配置エリア１４を挟んで一対の支持パネル２０Ａ、２０Ｂが設けられている。各支持パネル２０Ａ、２０Ｂは、シャーシ１６の一部で構成してもよいし、別部材である各支持パネル２０Ａ、２０Ｂを固定ねじやリベットなどの固定手段で固定してシャーシ１６と一体化してもよい。各支持パネル２０Ａ、２０Ｂのパネル面は、ブラケット６の側板１０と平行なパネル面を備えている。
【００２３】
各支持パネル２０Ａ、２０Ｂとブラケット６の各側板１０との間には、各支持パネル２０Ａ、２０Ｂとブラケット６とを係合させる複数の係合機構２２が配置エリア１４を挟んで備えられている。各係合機構２２は一例として、側板１０側に突部２４、支持パネル２０Ａ、２０Ｂ側に係合部２６を備えている。係合部２６は、突部２４を挿入する窓部２８と、突部２４を係止する係止部３０とを備えている。図１では、突部２４と係合部２６とが当接されており、これらが係合状態にあることを示している。
【００２４】
また、シャーシ１６とブラケット６の底板８との間には、両者を係止する複数の係止機構３２が配置エリア１４に備えられている。各係止機構３２は一例として、ブラケット６側に突部３４、シャーシ１６側に凹部の一例としてスリット３６を備えている。既述の係合機構２２が係合状態の前後において、スリット３６に突部３４が挿入される。この挿入により、ブラケット６は配置エリア１４の所定位置に位置決めされるとともに、ブラケット６の配置エリア１４外への移動が阻止される。図１では、係止機構３２の突部３４とスリット３６とが係止状態にあることを示している。
【００２５】
斯かる構成では、配置エリア１４に設置された複数のガスケット１８上にブラケット６がバランスよく設置され、ガスケット１８はブラケット６の底板８とシャーシ１６との間に挟み込まれて圧縮状態に維持する。この状態でブラケット６側の突部２４を支持パネル２０Ａ、２０Ｂの係合部２６に係合させる。これにより、ブラケット６は、各支持パネル２０Ａ、２０Ｂに係合されて固定されるとともに、圧縮状態にあるガスケット１８の復元力が突部２４と係合部２６との間で両者を密着する方向に作用する。この結果、ブラケット６は、係合機構２２の係合による固定と、ガスケット１８の復元力による係合力の増強により、支持パネル２０Ａ、２０Ｂ間に強固に係合されて固定される。
【００２６】
そして、係止機構３２では、各支持パネル２０Ａ、２０Ｂとの係合状態にあるブラケット６をシャーシ１６の配置エリア１４内に係止させる。したがって、ブラケット６は係合機構２２の係合およびガスケット１８の復元力および係止機構３２により、さらにはガスケット１８とブラケット６の底板８の摩擦力により、ブラケット６をシャーシ１６の配置エリア１４に強固に固定することができる。
【００２７】
斯かる構成では、ブラケット６、ガスケット１８およびシャーシ１６によるサンドイッチ構造（制振構造）が得られ、圧縮状態にあるガスケット１８の復元力がブラケット６とシャーシ１６との間に作用し、係合機構２２の係合強度が高められている。
【００２８】
これにより、ＨＤＤユニット４を固定するブラケット６とシャーシ１６との間に隙間が生じることがなく、また、経年変化によっても隙間発生が抑制される。
【００２９】
したがって、ＨＤＤユニット４の回転による振動がガスケット１８で吸収され、隙間による共振やビビリ振動による騒音発生を防止できる。
【００３０】
なお、この実施の形態では、係止機構３２を備えた構成を例示しているが、係止機構３２を省略した構成としてもよい。
【００３１】
次に、この電子装置２の製造について、図２および図３を参照する。図２および図３は製造工程の一例を示している。
【００３２】
図２に示す組立て手順は、本開示の電子装置の製造方法の一例である。この組立手順では、組立て前のシャーシ１６を板金加工によって形成する（ステップＳ１１）。この板金加工により、既述の配置エリア１４には係止機構３２のスリット３６を形成する。
【００３３】
このシャーシ１６の組立てを行う（ステップＳ１２）。シャーシ１６に設定された配置エリア１４に複数のガスケット１８を配置するとともに、配置エリア１４を挟んで支持パネル２０Ａ、２０Ｂを立設する。シャーシ１６に支持パネル２０Ａ、２０Ｂを一体に備える構成では、既述のステップＳ１１で板金加工により支持パネル２０Ａ、２０Ｂがシャーシ１６に形成される。シャーシ１６と別体である支持パネル２０Ａ、２０Ｂをシャーシ１６に取り付ける場合、固定ねじ、リベット、溶接の何れでもよい。
【００３４】
ＨＤＤユニット４が取り付けられたブラケット６をシャーシ１６に固定するには、シャーシ１６に配置されているガスケット１８の上面にブラケット６を乗せ、ブラケット６でガスケット１８を圧縮する（ステップＳ１３）。この製造工程において、ブラケット６の取付けには、図３に示すように、配置エリア１４にあるガスケット１８上にブラケット６を配置する。ガスケット１８上に配置したブラケット６を矢印Ｐで示す方向に加圧し、ガスケット１８をシャーシ１６とブラケット６の底板８との間で圧縮する。
【００３５】
この圧縮状態をブラケット６で維持しながら、係合機構２２でブラケット６と支持パネル２０Ａ、２０Ｂとを係合させ、係止機構３２でガスケット１８をシャーシ１６に係止させる（ステップＳ１４）。これにより、図１に示すように、ＨＤＤユニット４を取り付けたブラケット６をシャーシ１６に固定でき、ＨＤＤユニット４が配置エリア１４に配置される。
【００３６】
なお、この実施の形態において、係止機構３２を備えていない場合には、係止機構３２の係止作業を省略すればよい。
【００３７】
〔第２の実施の形態〕
【００３８】
第２の実施の形態に係るパーソナルコンピュータについて、図５を参照する。図５はパーソナルコンピュータを前面側から見て示している。図５に示す構成は一例であり、斯かる構成に本発明が限定されるものではない。図５において、図１と同一部分には同一符号を付してある。
【００３９】
図５に示すパーソナルコンピュータ４２（以下単に「ＰＣ４２」と称する。）は、本開示の電子装置の一例である。このＰＣ４２は、筐体４４、前スタンド４６および後スタンド４８を備えている。筐体４４には画面に画像を表示する表示部５０が備えられている。前スタンド４６は一対で構成されて筐体４４の左右側部に設けられている。後スタンド４８は筐体４４の背面側に設置され、支持座面は前スタンド４６より広く形成されている。これにより、筐体４４は一対の前スタンド４６と単一の後スタンド４８の３点で安定して支持され、立設される。筐体４４の表示部５０は、直立状態から傾斜状態に後スタンド４８の角度によって調整することができる。
【００４０】
このＰＣ４２の背面側について、図６を参照する。図６はＰＣ４２を背面側から見て示している。
【００４１】
筐体４４には図６に示すように、背面カバー５２が設置され、この背面カバー５２は筐体４４に複数の固定ねじ５４によって固定されている。この背面カバー５２には中央下部に切欠部５６が形成され、この切欠部５６から既述の後スタンド４８を突出させている。後スタンド４８は、筐体４４内に設置されたシャーシ１６（図９）に強固に固定されている。したがって、シャーシ１６に固定されている後スタンド４８と、背面カバー５２とは分離されており、背面カバー５２は後スタンド４８と別個に筐体４４から離脱させることができる。
【００４２】
この背面カバー５２について、図７を参照する。図７は背面カバー５２を背面から見て示している。
【００４３】
この背面カバー５２は図７に示すように、合成樹脂の成形体であり、筐体４４に当接されるカバー本体６０が備えられている。このカバー本体６０には後方に突出した膨出部６２が備えられている。膨出部６２はカバー本体６０から段差を設けて段階的に後方に突出させており、背面カバー５２の補強部を構成するとともに、後述のシャーシ１６の実装部品の防護機能を果たしている。この背面カバー５２には既述の切欠部５６が膨出部６２の中央から下縁部に亘って形成されている。
【００４４】
つぎに、ＰＣ４２から外された後スタンド４８について、図８を参照する。図８はスタンド支持部の一例を示している。
【００４５】
後スタンド４８は合成樹脂の成形体であり、図８に示すように、スタンド支持部６４に設置されている。スタンド支持部６４は、後スタンド４８を支持するとともに、シャーシ１６に支持させる支持部材である。スタンド支持部６４には、シャーシ１６（図９）に固定されるスタンド用シャーシ６６が備えられている。スタンド用シャーシ６６は、シャーシ１６と同様に打抜加工された金属板である。このスタンド用シャーシ６６にはシャーシ１６に固定する固定ねじを挿通する複数の挿通孔６８が形成されている。
【００４６】
このスタンド用シャーシ６６には後スタンド４８のヒンジ部７０が図示しない複数の固定ねじによって固定され、後スタンド４８は、ヒンジ部７０を回転中心として所定角度に調整することができる。図８に示す状態は、後スタンド４８を閉じた状態である。
【００４７】
つぎに、ＨＤＤユニット４が配置されたシャーシ１６について、図９および図１０を参照する。図９および図１０は背面カバーおよびスタンド支持部が外されたパーソナルコンピュータを示している。
【００４８】
既述の筐体４４に固定されているシャーシ１６には、ＨＤＤユニット４の配置エリア１４が設定されている。この配置エリア１４を挟んで一対の支持パネル２０Ａ、２０Ｂが設置され、これら支持パネル２０Ａ、２０Ｂの間隔内にはブラケット６に固定されたＨＤＤユニット４が配置されている。
【００４９】
各支持パネル２０Ａ、２０Ｂは、ＨＤＤユニット４を固定するブラケット６の支持手段、固定手段であるとともに、スタンド用シャーシ６６の固定手段を兼用している。
【００５０】
このＨＤＤユニット４について、図１１を参照する。図１１はＨＤＤユニット４の一例を示している。
【００５１】
ＨＤＤユニット４は、既述の通り、回転機構を備えるデバイスユニットの一例である。このＨＤＤユニット４の筐体７４の形状は偏平な直方体であり、この筐体７４の長手方向の中心軸上には回転機構であるスピンドルモータ７６が配置されている。このスピンドルモータ７６のスピンドルにはディスク７８が設置されている。ディスク７８は記録メディアであり、スピンドルモータ７６によって回転する。このディスク７８の隣接位置にはポイスコイルモータ８０によって回動されるスィングアーム８２が設置されている。このスィングアーム８２は回動支点８４を中心に回動し、先端に取り付けられたカンチレバー８６がディスク７８の記録トラックに配置される。
【００５２】
斯かる構成では、スピンドルモータ７６の回転振動が筐体７４に伝わり、ＨＤＤユニット４を固定するブラケット６や配置エリア１４のシャーシ１６に伝達される。
【００５３】
このＨＤＤユニット４を固定するブラケット６について、図１２を参照する。図１２はＨＤＤユニット４およびブラケット６の一例を示している。
【００５４】
このブラケット６には、底板８と、底板８の両縁に直交する一対の側板１０が備えられている。底板８は、ＨＤＤユニット４の底面形状より僅かに大きい長方形状であり、複数の長円形の放熱孔８８を備えている。放熱孔８８の形成により、底板８は軽量化されている。この底板８の長手方向の縁部中央には固定部９０が突設され、この固定部９０には固定ねじを通過させる貫通孔９２が形成されている。
【００５５】
各側板１０には底板８から切起しにより形成された複数の棚部９４が形成され、この棚部９４は底板８より僅かに高い位置に形成されている。この棚部９４によってＨＤＤユニット４が支持され、ブラケット６上のＨＤＤユニット４の高さ位置が決定される。
【００５６】
ＨＤＤユニット４の側壁９６に形成されている複数の固定孔９８に対応し、ブラケット６の側板１０には固定されるＨＤＤユニット４側に張り出させた複数の突出部１００が形成されている。各突出部１００の背面側は凹部１０２となっている。各突出部１００には貫通孔１０４が形成されている。各貫通孔１０４に貫通させた固定ねじ１０６がＨＤＤユニット４の固定孔９８に固定され、これにより、ブラケット６にＨＤＤユニット４が固定される。つまり、ＨＤＤユニット４とブラケット６が一体化される。
【００５７】
このブラケット６の側板１０には、複数の係合機構２２の突部２４が形成されている。各突部２４は、側板１０の長手方向の縁部側の２箇所をプレス加工し、ブラケット６の外側に突出している。この実施の形態では各側板１０の２箇所に突部２４を形成しているが１箇所でもよく、または３箇所以上であってもよい。
【００５８】
また、側板１０の下縁側には、係合機構２２の突部２４の下方に係止機構３２の突部３４が形成されている。各突部３４は、底板８をプレス加工して撃ち抜いて側板１０の延長上に立ち上げられ、底板８より下方に突出している。
【００５９】
このブラケット６の固定前のシャーシ１６について、図１３を参照する。図１３は筐体上のシャーシ１６の一例を示している。
【００６０】
シャーシ１６には、ブラケット６を配置する配置エリア１４が設定され、この配置エリア１４にはブラケット６の底板８に対応して複数のガスケット１８が設置されている。この実施の形態では、ガスケット１８の配置位置はブラケット６の底板８の幅方向２箇所、長さ方向の２箇所の４箇所である。各ガスケット１８によりブラケット６は配置エリア１４上の長手方向および幅方向にバランスよく配置される。
【００６１】
ブラケット６を配置する配置エリア１４には、ブラケット６をシャーシ１６に係止させる各係止機構３２のスリット３６が形成されている。この実施の形態では、各スリット３６の形成位置はブラケット６の底板８の幅方向２箇所、長さ方向の２箇所の４箇所である。各スリット３６によりブラケット６は配置エリア１４上の長手方向および幅方向にバランスよく係止される。
【００６２】
また、シャーシ１６には配置エリア１４を挟んで設置される支持パネル２０Ａ、２０Ｂを係止し、固定するための複数の係止孔１０５およびねじ孔１０７が形成されている。シャーシ１６の縁部側には、シャーシ部材を折り返して立壁１０８が形成され、この立壁１０８にも支持パネル２０を固定するためのねじ孔１０７が形成されている。
【００６３】
また、配置エリア１４の長手方向の位置には、ブラケット６を固定するため、ブラケット６の固定部９０の貫通孔９２に対応するねじ孔１０９が形成されている。
【００６４】
つぎに、支持パネル２０Ａ、２０Ｂについて、図１４および図１５を参照する。図１４および図１５は支持パネル２０Ａ、２０Ｂの一例を示している。
【００６５】
各支持パネル２０Ａ、２０Ｂは左右対称形状であり、立壁部１１０と、下側固定部１１２と、上側固定部１１４と、側部固定部１１６、１１８とを備えている。立壁部１１０は、下側固定部１１２と上側固定部１１４との間を平行に維持するとともに、シャーシ１６の配置エリア１４と直交する壁部を備え、側部固定部１１８に延長した壁部を備えている。この立壁部１１０には、上側固定部１１４から側部固定部１１８に至る部分に支持パネル部材をヘミング折りにより折り返して補強部１２０が形成されている。また、立壁部１１０の下縁側には、下側固定部１１２から打抜き加工により複数の突部１２２が形成され、各突部１２２がシャーシ１６の既述の係止孔１０５に挿入される。
【００６６】
下側固定部１１２は立壁部１１０に対して交差方向に折り返され、シャーシ１６の貫通孔１０７に対応する貫通孔１２４が形成されている。同様に、側部固定部１１６、１１８にも貫通孔１０７に対応する貫通孔１２４が形成されている。
【００６７】
上側固定部１１４は立壁部１１０に対して交差方向に折り返され、下側固定部１１２とともに立壁部１１０の補強部として機能する。この上側固定部１１４には、スタンド用シャーシ６６を固定するためのねじ孔１２６が形成されている。
【００６８】
この上側固定部１１４と立壁部１１０との角部の２箇所には、既述の係合機構２２の窓部２８が一定の間隔を設けて形成されているとともに、各窓部２８内には係止部３０が形成されている。係止部３０は支持パネル部材の窓部２８の打抜きとともに立壁部１１０側から切り起こして形成され、支持パネル２０Ａ、２０Ｂの対向側に突出させている。つまり、立壁部１１０の壁面より対向側に突出している。
【００６９】
各支持パネル２０Ａ、２０Ｂなどのシャーシ１６の上の配置および各部の固定について、図１６および図１７を参照する。図１６および図１７は支持パネル２０Ａ、２０Ｂなどを備えたシャーシ１６を示している。
【００７０】
各支持パネル２０Ａ、２０Ｂは図１６に示すように、シャーシ１６に設定された既述の配置エリア１４を挟んで平行に配置し、シャーシ１６側に形成された各貫通孔１０７（図１３）に各支持パネル２０Ａ、２０Ｂ側の貫通孔１２４を合致させる。これら貫通孔１０７、１２４に貫通させたリベット１２８の加締めにより、支持パネル２０Ａ、２０Ｂがシャーシ１６に強固に固定され、シャーシ１６と一体化されている。
【００７１】
各支持パネル２０Ａ、２０Ｂが設置されたシャーシ１６では、図１７に示すように、配置エリア１４を挟んで平行に支持パネル２０Ａ、２０Ｂが配置されている。配置エリア１４には複数の通気孔１３０が形成され、ＨＤＤユニット４の空気冷却とともに、シャーシ１６の軽量化に寄与している。
【００７２】
また、図１７に示すように、支持パネル２０Ａ、２０Ｂにある各係合機構２２の窓部２８および係止部３０、シャーシ１６側に配置されたガスケット１８、シャーシ１６側にある係止機構３２のスリット３６は、配置エリア１４の縁部側に配置されている。つまり、ブラケット６は、その幅方向および長手方向の角部でシャーシ１６および支持パネル２０Ａ、２０Ｂに係合し、固定される関係にある。
【００７３】
つぎに、係合機構２２について、図１８を参照する。図１８は係合機構２２を分解して示している。
【００７４】
この係合機構２２は、ブラケット６と支持パネル２０Ａ、２０Ｂとを係合させる機構である。図１８に示すように、ブラケット６の側板１０には突部２４が形成され、この突部２４は平坦部を備えた頂部１３２と、この頂部１３２を支持する一対の脚部１３４とを備えている。頂部１３２および脚部１３４は一定の幅Ｗを備えることにより、突部２４が補強されている。
【００７５】
この突部２４に対し、支持パネル２０Ａ、２０Ｂにある窓部２８は、突部２４より大きく形成されて挿入可能である。この窓部２８の上縁側には、係止側に変移した位置に係止部３０が形成されている。この係止部３０の高さ位置は、上側固定部１１４と同一面に形成されている。係止部３０と突部２４の上縁との高さ関係は、圧縮状態に維持されるガスケット１８からの復元力を作用させることができるように設定する。具体的には、圧縮状態にないガスケット１８上にブラケット６を設置した場合には、突部２４の上縁は係止部３０の下面より高く設定され、ブラケット６を圧縮して下降させた突部２４を係止部３０に係止するようにすればよい。
【００７６】
この係合機構２２の係合関係について、図１９を参照する。図１９は係合機構２２の係合前後を示している。
【００７７】
この係合機構２２では、図１９の（Ａ）に示すように、支持パネル２０Ａ、２０Ｂにある窓部２８にブラケット６の突部２４を挿入する。この状態から矢印Ｘで示す方向にブラケット６を移動させれば、図１９の（Ｂ）に示すように、突部２４は窓部２８内を移動して係止部３０の下面側に至る。これにより、突部２４と係止部３０とが係合し、支持パネル２０Ａ、２０Ｂにブラケット６が係合される。
【００７８】
窓部２８は突部２４の移動範囲、つまりブラケット６の移動範囲を規制しており、突部２４が窓部２８の縦縁がストッパとして機能し、突部２４の移動が規制される。
【００７９】
つぎに、ガスケット１８および係止機構３２について、図２０を参照する。図２０の（Ａ）および（Ｂ）は係止機構３２を分解して示している。
【００８０】
ガスケット１８の近傍には、図２０の（Ａ）に示すように、ブラケット６の係止機構３２が設けられている。この係止機構３２はブラケット６側の突部３４と、シャーシ１６側のスリット３６とで構成される。突部３４はブラケット６側の部材から下方に突出している。これに対し、シャーシ１６にはブラケット６側の移動を考慮に入れ、スリット３６は、ブラケット６の移動終端で所定位置にブラケット６が位置決めされる形状である。このスリット３６には突部３４の厚みＷ１より僅かに広い幅Ｗ２（＞Ｗ１）の細溝部１３６、傾斜部１３８と、細溝部１３６より広い幅Ｗ３（＞Ｗ２）の太溝部１４０とを備えている。傾斜部１３８は太溝部１４０から緩やかに細溝部１３６に至る溝である。このようなスリット３６に挿入された突部３４は下方に突出しているので、ガスケット１８に設置されるブラケット６は上下動させることができる。
【００８１】
ガスケット１８は長方形状の弾性部材であって、図２０の（Ｂ）に示すように、シャーシ１６上に接着剤たとえば、両面シート１４２で固定されている。このガスケット１８の上面には、ブラケット６の底板８が設置される。
【００８２】
このガスケット１８に載置されたブラケット６の係止について、図２１を参照する。図２１は係止機構３２の係止前後を示している。
【００８３】
図２１の（Ａ）に示すように、シャーシ１６の設置エリア１４およびブラケット６の４箇所に形成された係止機構３２について、各スリット３６の太溝部１４０にブラケット６の突部３４を挿入する。この状態から、スリット３６の細溝部１３６の方向にブラケット６を移動すると、突部３４が傾斜溝１３８に沿ってガイドされるので、図２１の（Ｂ）に示すように、細溝部１３６に位置決めすることができる。これにより、設置エリア１４の所定位置にブラケット６が位置決めされて配置される。
【００８４】
このブラケット６と支持パネル２０Ａ、２０Ｂとの係合について、図２２、図２３および図２４を参照する。図２２および図２３は係合前後を示し、図２４は係合状態での各部の断面を示している。
【００８５】
ブラケット６の突部３４がスリット３６の太溝部１４０に挿入された状態では、図２２に示すように、ブラケット６の突部２４は支持パネル２０Ａ、２０Ｂの窓部２８に挿入された状態である。
【００８６】
ブラケット６には図４に示すように、ガスケット１８を圧縮する方向に加圧力Ｐを加えることにより、ガスケット１８を圧縮状態に維持し、この状態から矢印Ｘ方向にブラケット６を移動させる。これにより、図２３に示すように、ブラケット６の突部２４を係止部３０の下面側に移動させ、係止部３０と係合させる。この状態で、加圧力Ｐを解除すると、ガスケット１８の復元力がブラケット６の各突部２４と支持パネル２０Ａ、２０Ｂの係止部３０との間に作用し、係合力が強化される。
【００８７】
この状態でブラケット６の固定部９０の貫通孔９２をシャーシ１６側のねじ孔１０７に合わせ、固定ねじ１４４によりシャーシ１６にブラケット６を固定する。
【００８８】
このブラケット６と支持パネル２０Ａ、２０Ｂとの係合状態において、図２４は、図２３のXXIV−XXIVに沿って切断した切断面を示している。この切断面から明らかなように、係合機構２２による係合、係止機構３２による係止とともに、ガスケット１８の復元力の作用により、ブラケット６がシャーシ１６の配置エリア１４に位置決めされてシャーシ１６に固定されているとともに、ガスケット１８から弾性により復元力を受け、係合機構２２によって係合状態が維持されている。
【００８９】
ガスケット１８、係合機構２２および固定部９０と、ブラケット６上のＨＤＤユニット４の回転機構との関係について、図２５を参照する。図２５はガスケット１８および係合機構２２とＨＤＤユニット４の回転機構との位置関係を示している。
【００９０】
ブラケット６上のＨＤＤユニット４は、支持パネル２０Ａ、２０Ｂで挟まれた配置エリア１４に配置されている。ＨＤＤユニット４のスピンドルモータ７６は配置エリア１４の中央部の近傍に備えられている。このスピンドルモータ７６は、４箇所に配置されたガスケット１８の支持領域内にあり、４箇所にある係合機構２２で包囲されている。しかも、ブラケット６は、固定部９０に固定ねじ１４４を挿通させ中心軸上でシャーシ１６に固定されている。
【００９１】
このような固定および係合により、ブラケット６はシャーシ１６に強固に固定され、しかも、ガスケット１８によって振動を吸収する配置エリア１４内に配置されている。したがって、シャーシ１６とブラケット６とはガスケット１８を介在させて密着状態にあるから、スピンドルモータ７６の回転による振動は、ガスケット１８によって緩衝される。この結果、振動による耳障りな騒音を抑制できる。
【００９２】
つぎに、支持パネル２０Ａ、２０Ｂとスタンド用シャーシ６６との結合について、図２６を参照する。図２６は支持パネル２０Ａ、２０Ｂとスタンド用シャーシ６６との結合構造を示している。
【００９３】
シャーシ１６に立設された支持パネル２０Ａ、２０Ｂの各上側固定部１１４のねじ孔１２６には、図２６に示すように、スタンド支持部６４のスタンド用シャーシ６６の挿通孔６８を挿通させた固定ねじ１４６が固定されている。つまり、支持パネル２０Ａ、２０Ｂの各上側固定部１１４は、スタンド支持部６４のスタンド用シャーシ６６で橋絡されている。この結果、シャーシ１６と、スタンド用シャーシ６６とは各支持パネル２０Ａ、２０Ｂの介在により、断面筒状の強固な筐体構造を構成している。
【００９４】
このような筐体構造内に支持パネル２０Ａ、２０Ｂおよびシャーシ１６に固定されたブラケット６が防護され、このブラケット６にＨＤＤユニット４が取り付けられている。したがって、ＨＤＤユニット４は強固な筐体構造により防護され、既述のガスケット１８によって弾性的に支持されている。
【００９５】
各支持パネル２０Ａ、２０Ｂの高さは、ブラケット６の突部３４を含む側板１０の高さより高く設定されており、側板１０とスタンド用シャーシ６６の取付面との間に高さ方向に幅Ｗ４の間隔１４８を設けている。この間隔１４８を備えたことにより、固定ねじ１４６を外し、係合機構２２の係合、係止機構３２の係止を解除することができる。つまり、スタンド用シャーシ６６を外すことにより、ブラケット６をシャーシ１６から着脱できる。ブラケット６を外せば、ＨＤＤユニット４をブラケット６から外し、修理や交換をすることができる。
【００９６】
つぎに、パーソナルコンピュータ４２の組立てについて、図２７を参照する。図２７はパーソナルコンピュータ４２の組立て工程の一例を示している。
【００９７】
この組立て工程は本開示の電子装置の製造方法の一例である。図２７に示す組立て工程では、シャーシ１６の板金加工を行い（ステップＳ２１）、シャーシ１６の組立てを行う（ステップＳ２２）。このシャーシ１６の組立てでは、シャーシ１６に設定された配置エリア１４内にガスケット１８を配置し、支持パネル２０Ａ、２０Ｂを取り付ける。
【００９８】
ブラケット６の取付けを行う（ステップＳ２３）。すなわち、ブラケット６の底板８にある突部３４をシャーシ１６のスリット３６に挿入し、ブラケット６をガスケット１８の上に載置できる。この状態でブラケット６をガスケット１８に圧接し（ステップＳ２４）、この圧接状態を維持しながら、ブラケット６を摺動させる（ステップＳ２５）。これにより、所定位置に位置決めするとともに、係合機構２２の突部２４と、支持パネル２０Ａ、２０Ｂの係止部３０に係止させて固定する（ステップＳ２６）。この場合、ブラケット６の固定部９０を固定ねじ１４４によってシャーシ１６に固定する。
【００９９】
ブラケット６の固定の後、支持パネル２０Ａ、２０Ｂの各上側固定部１１４にスタンド支持部６４の取付けを行い（ステップＳ２７）、背面カバー５２の取付けを行う（ステップＳ２８）。
【０１００】
以上述べた第２の実施の形態によれば、つぎの効果が得られる。
【０１０１】
(1) 圧縮状態に維持されたガスケット１８の復元力を係合機構２２の係合強度に利用でき、ブラケット６とシャーシ１６とを隙間を生じさせることなく強固に固定でき、騒音発生を防止することができる。
【０１０２】
(2) ＨＤＤユニット４の配置エリア１４を挟んで立設された支持パネル２０Ａ、２０Ｂとブラケット６とを係合させる係合機構２２がＨＤＤユニット４の側面側にあるため、係合操作が容易になり、ＰＣ４２の組立て作業性がよい。
【０１０３】
(3) ＨＤＤユニット４を固定したブラケット６とシャーシ１６との間に配置されたガスケット１８を圧縮状態に維持し、圧縮状態にある振動吸収体の復元力を係合機構の係合力に利用しているので、ブラケット６とシャーシ１６との係合強度を高めることができる。
【０１０４】
(4) スタンド支持部６４を取り外すことなくシャーシ１６からスタンド用シャーシ６６を外すことにより、ブラケット６とともにＨＤＤユニット４を着脱することができる。
【０１０５】
〔他の実施の形態〕
【０１０６】
(1) 上記実施の形態では、係合機構２２の突部２４と係止部３０とを各部材を直接接触するように構成しているが、図２８に示すように、突部２４と係止部３０との間に防振部材１５０を介在させてもよい。斯かる構成とすれば、ガスケット１８と防振部材１５０とにより、ブラケット６を弾性的に保持し、隙間発生を防止できる。
【０１０７】
(2) 上記実施の形態の係合機構２２は、ブラケット６側に突部２４、支持パネル２０Ａ、２０Ｂ側に係止部３０を備えているが、これに限定されない。図２９に示すように、支持パネル２０Ａ、２０Ｂ側に突部２４、ブラケット６側に窓部２８および係止部３０を備えた係合機構２２を構成してもよい。
【０１０８】
(3) 上記実施の形態の係止機構３２は、ブラケット６の底板８に突部３４、シャーシ１６側にスリット３６を備えているが、これに限定されない。図３０に示すように、ブラケット６の底板８にスリット３６、シャーシ１６側に突部３４を備えた係止機構３２を構成してもよい。
【０１０９】
(4) 上記実施の形態では、シャーシ１６側にガスケット１８を備えているが、これに限定されない。図３１に示すように、ブラケット６側にガスケット１８を備えてもよく、同様に、ブラケット６とシャーシ１６との間でガスケット１８を挟み込む構成としてもよい。
【０１１０】
(5) 上記実施の形態では、ＨＤＤユニットを備える電子装置としてパーソナルコンピュータを例示したが本発明はこれに限定されない。本発明の電子装置およびその製造方法にはテレビジョン受像機、電子ゲーム機、プロジェクタなどの各種の機器およびその製造方法が含まれる。
【０１１１】
(6) 上記実施の形態では、ブラケット６をシャーシ１６から着脱する際に、スタンド用シャーシ６６を外す構成としているが、これに限定されない。スタンド用シャーシ６６にブラケット６の挿通可能な窓部を備えれば、スタンド用シャーシ６６を外すことなく、ブラケット６を着脱することが可能である。
【０１１２】
(7) 上記実施の形態では、シャーシ１６に支持パネル２０Ａ、２０Ｂをリベット１２８で固定しているが、固定手段は固定ねじでもよく、また溶接でもよい。
【０１１３】
次に、以上述べた実施例を含む実施の形態に関し、更に以下の付記を開示する。以下の付記に本発明が限定されるものではない。
【０１１４】
（付記１）回転機構を持つデバイスユニットを備える電子装置であって、
前記デバイスユニットが取り付けられるブラケットを配置する配置エリアを備え、該配置エリアに複数の振動吸収体が設置され、前記配置エリアを挟んで立設された支持パネルを備えたシャーシと、
前記支持パネルと前記ブラケットとの間に設けられ、前記ブラケットと前記シャーシとの間で前記振動吸収体を圧縮させて、前記ブラケットと前記シャーシとを係合させる係合機構と、
を備えることを特徴とする電子装置。
【０１１５】
（付記２）  さらに、前記係合機構の係合位置で、前記ブラケットを前記シャーシに係止させる係止機構を備えることを特徴とする付記１に記載の電子装置。
【０１１６】
（付記３）  前記係合機構は、
前記ブラケットまたは前記シャーシのいずれか一方に形成された突部と、
前記突部に対して前記ブラケットまたは前記シャーシのいずれかに形成され、前記突部と係合する係合部と、
を備えることを特徴とする付記１に記載の電子装置。
【０１１７】
（付記４）  前記係止機構は、
前記ブラケットまたは前記シャーシのいずれか一方に形成された突部と、
前記突部に対して前記ブラケットまたは前記シャーシのいずれかに形成され、前記突部を挿入する凹部と、
を備えることを特徴とする付記２に記載の電子装置。
【０１１８】
（付記５）  前記シャーシは、前記デバイスユニットの前記回転機構の回転中心を挟んで前記複数の振動吸収体を設置したことを特徴とする付記１に記載の電子装置。
【０１１９】
（付記６）  前記係合部を備える前記ブラケットまたは前記支持パネルに前記突部を通過させる窓部を備え、該窓部を通過させた前記突部を前記ブラケットの摺動により、前記突部と前記係合部とが係合することを特徴とする付記２に記載の電子装置。
【０１２０】
（付記７）  回転機構を持つデバイスユニットを備える電子装置の製造方法であって、
前記デバイスユニットが取り付けられたブラケットを配置する配置エリアを備え、該配置エリアに複数の振動吸収体が設置され、前記配置エリアを挟んで支持パネルが立設されたシャーシを形成し、
前記ブラケットと前記シャーシとの間で前記振動吸収体を圧縮させ、
前記ブラケットと前記シャーシとの間に形成されている係合機構により前記ブラケットと前記シャーシとを係合させる、
ことを特徴とする電子装置の製造方法。
【０１２１】
（付記８）  さらに、前記係合機構の係合位置で、係止機構によって前記ブラケットを前記シャーシに係止させることを特徴とする付記７に記載の電子装置の製造方法。
【０１２２】
以上説明したように、電子装置およびその製造方法の最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１２３】
２  電子装置
４  ＨＤＤユニット
６  ブラケット
８  底板
１０  側板
１４  配置エリア
１６  シャーシ
１８  ガスケット
２０  支持パネル
２２  係合機構
２４  突部
２６  係合部
２８  窓部
３０  係止部
３２  係止機構
３４  突部
３６  スリット
４２  パーソナルコンピュータ
【図１】
2012230728.tif 000003
【図２】
2012230728.tif 000004
【図３】
2012230728.tif 000005
【図４】
2012230728.tif 000006
【図５】
2012230728.tif 000007
【図６】
2012230728.tif 000008
【図７】
2012230728.tif 000009
【図８】
2012230728.tif 000010
【図９】
2012230728.tif 000011
【図１０】
2012230728.tif 000012
【図１１】
2012230728.tif 000013
【図１２】
2012230728.tif 000014
【図１３】
2012230728.tif 000015
【図１４】
2012230728.tif 000016
【図１５】
2012230728.tif 000017
【図１６】
2012230728.tif 000018
【図１７】
2012230728.tif 000019
【図１８】
2012230728.tif 000020
【図１９】
2012230728.tif 000021
【図２０】
2012230728.tif 000022
【図２１】
2012230728.tif 000023
【図２２】
2012230728.tif 000024
【図２３】
2012230728.tif 000025
【図２４】
2012230728.tif 000026
【図２５】
2012230728.tif 000027
【図２６】
2012230728.tif 000028
【図２７】
2012230728.tif 000029
【図２８】
2012230728.tif 000030
【図２９】
2012230728.tif 000031
【図３０】
2012230728.tif 000032
【図３１】
2012230728.tif 000033